(57)【特許請求の範囲】
【請求項１】
軸筒と、
前記軸筒内に収容される複数の筆記芯と、
前記筆記芯の後端に接続し、前記軸筒の軸心に沿って摺動自在に設けられ、前記軸筒内に設けられた弾発部材により後方に付勢され、押圧操作により筆記可能状態と解除状態とを切替可能に構成されるノック部材と、
前記軸筒に形成され、前記ノック部材を押圧するための操作片が突出し、後端が開口された窓部と、
前記軸筒に設けられた支点を中心に径方向に回動することにより前記窓部の後端を開閉自在に形成され、前記筆記芯の解除状態において前記ノック部材の後端と当接可能に形成されるスライド壁と、を有し、
前記スライド壁に、前記軸筒に対して係合可能な係合部が設けられ、
前記係合部は、前記軸筒の後部側面から後方へ向けて立設し、前記軸筒の径方向に延在して前記スライド壁と重なり合う位置に延在部を形成し、該延在部に対応する前記スライド壁の後方側の面上に係合凸部を突出形成し、前記延在部のスライド壁と対向する面に、前記係合凸部と係合する被係合凹部を形成してなることを特徴とする多芯筆記具。
【請求項２】
軸筒と、
前記軸筒内に収容される複数の筆記芯と、
前記筆記芯の後端に接続し、前記軸筒の軸心に沿って摺動自在に設けられ、前記軸筒内に設けられた弾発部材により後方に付勢され、押圧操作により筆記可能状態と解除状態とを切替可能に構成されるノック部材と、
前記軸筒に形成され、前記ノック部材を押圧するための操作片が突出し、後端が開口された窓部と、
前記軸筒に設けられた支点を中心に径方向に回動することにより前記窓部の後端を開閉自在に形成され、前記筆記芯の解除状態において前記ノック部材の後端と当接可能に形成されるスライド壁と、を有し、
前記スライド壁が、複数の前記ノック部材それぞれに対応して設けられたことを特徴とする多芯筆記具。
【請求項３】
前記スライド壁に、前記軸筒に対して係合可能な係合部が設けられたことを特徴とする請求項２記載の多芯筆記具。
【発明の詳細な説明】
【技術分野】
【０００１】
本発明は、多芯筆記具に関する。さらに詳細には、ノック部材が接続された複数の筆記芯が設けられ、一方のノック部材を押圧操作するとペン先が突出し、他方のノック部材を押圧操作すると一方のノック部材が解除される多芯筆記具に関する。
【背景技術】
【０００２】
従来から、ノック部材が接続された複数の筆記芯を有する多芯筆記具において、ユーザーが好みのノック部材付きの筆記芯を選択し、任意に多芯筆記具を構成する多芯筆記具が開示されている。この場合、筆記芯はインク色や筆記具の種類（ボールペンやシャープペン等）を複数用意し、ユーザーはその中から２以上の筆記芯を選択して多芯筆記具を構成する。
【０００３】
特許文献１の第２実施例として開示される多芯筆記具では、ノック部材（操作体７）の押圧操作部（操作部７１）が外方に突出する窓部（窓穴４１）を、軸筒（後軸４）の後端まで開口する（開口部４２）とともに、この開口された後端を、軸筒（後軸４）の後端にスライド係合される蓋部（５）により閉塞する構成が開示されている。蓋部（５）は着脱自在に形成されている。ユーザーは、ノック部材（操作体７）が接続された筆記芯（筆記体６）を任意に選択し、蓋部（５）のスライド係合を解除して、蓋部（５）を径方向に取り外して、選択した筆記芯（筆記体６）を軸筒（後軸４）の後端の開口部（４２）から挿入する。挿入後、蓋部（５）を再び径方向からスライド係合させることで多芯筆記具は構成される。同様に、第３実施例においては、回転係合される蓋部（５）が開示されている。この蓋部（５）も軸筒（後軸４）に着脱自在に形成されている。
【０００４】
特許文献２に開示される多芯筆記具では、ノック部材（操作体７）の押圧操作部（操作部７１）が外方に突出する窓部（窓孔４１）を、軸筒（後軸４）の後端まで開口する（開口部４２）とともに、この開口された後端を閉塞する蓋部（５）がヒンジ部（５２）により軸筒の径方向に軸支され開閉可能に形成されている構成が開示されている。ユーザーは、ノック部材（操作体７）が接続された筆記芯（筆記体６）を任意に選択し、蓋部（５）を開いた状態にして選択した筆記芯（筆記体６）を軸筒（後軸４）の後端の開口部（４２）から挿入する。挿入後、蓋部（５）を閉じて多芯筆記具は構成される。
【０００５】
なお、何れの特許文献においても、ノック部材（操作体７）は後方へ付勢されるとともに、ノック部材（操作体７）の後端は蓋部（５）と当接可能に形成されている。
【先行技術文献】
【特許文献】
【０００６】
【特許文献１】特開２００７−１５２７５
【特許文献２】特開２００７−３８６３５
【発明の概要】
【発明が解決しようとする課題】
【０００７】
特許文献１に開示される多芯筆記具においては、筆記芯の交換時には蓋部を軸筒から取外すことになる。蓋部は、部品としては小さな部品であるため、取外した際に紛失してしまうことは容易に想像できる。また、蓋部と軸筒との係合は、ノック部材の後端を蓋部に当接させ、一方の筆記芯の解除操作毎にコイルバネの付勢力によりノック部材の後端が蓋部に衝突することを考慮すると、比較的強く係合させなければならない。よって、このような小さな部品である蓋部をスライドや回転操作により、比較的強い力で係合させるのは、操作性が悪いものとなってしまう。
【０００８】
また、特許文献２に開示される多芯筆記具においては、ノック部材の後端を蓋部に当接させているため、一方の筆記芯の解除操作毎にコイルバネの付勢力によりノック部材の後端が蓋部に衝突する。繰り返しのノック部材の蓋部への衝突によっても蓋部が開かないようにするには、蓋部を閉めたときの係合を強くすることが考えられるが、蓋部の係合を強くすると、蓋部が開けにくくなり、甚だ不便になる。一方で、この問題を解決するために、コイルバネの付勢力を弱めることもできる。この場合、ノック部材が完全に後端まで戻らない等の作動上の不具合が発生する。
【課題を解決するための手段】
【０００９】
本発明は、軸筒と、前記軸筒内に収容される複数の筆記芯と、前記筆記芯の後端に接続し、前記軸筒の軸心に沿って摺動自在に設けられ、前記軸筒内に設けられた弾発部材により後方に付勢され、押圧操作により筆記可能状態と解除状態とを切替可能に構成されるノック部材と、前記軸筒に形成され、前記ノック部材を押圧するための操作片が突出し、後端が開口された窓部と、前記軸筒に設けられた支点を中心に径方向に回動することにより前記窓部の後端を開閉自在に形成され、前記筆記芯の解除状態において前記ノック部材の後端と当接可能に形成されるスライド壁と、を有することを特徴とする多芯筆記具、である。
【発明の効果】
【００１０】
本発明によれば、前述の蓋部に相当するスライド壁を、支点に回動させて形成することができる。この支点は軸筒に形成されているので、常にスライド壁は軸筒と一体的なものとなる。よって、筆記芯の交換時においても、スライド壁を紛失する虞は無い。さらに、スライド壁は軸筒の径方向に回動するので、軸筒の軸心方向（前後方向）には移動することが無い。よって、軸心方向（前後方向）に動作するノック部材の解除操作時の衝突によってもスライド壁が開いてしまうということも無い。
【図面の簡単な説明】
【００１１】
【図１】本発明の第１実施形態に係る多芯筆記具の縦断面図である。解除状態を示している。図６のＩ−Ｉ断面図である。
【図２】筆記可能状態を示す第１実施形態に係る多芯筆記具の縦断面図である。
【図３】図１の多芯筆記具をＡ方向から見た側面図である。
【図４】図１の多芯筆記具をＢ方向から見た側面図である。
【図５】図６のＶ−Ｖ断面図である。
【図６】図１の多芯筆記具を後方から見た側面図である。
【図７】スライド壁を回動させた状態を示す多芯筆記具の後方から見た側面図である。
【図８】スライド壁の他の実施例を示す多芯筆記具の後方から見た側面図である。
【発明を実施するための形態】
【００１２】
以下、図面を参照しつつ本発明の実施例について説明する。なお、以下の説明において、前方向は、ペン先側の方向を指す。
【実施例１】
【００１３】
本発明の第１実施形態を図１〜図７に示す。図１において、多芯筆記具１は、略円筒状の軸筒２を有し、複数の筆記芯３が内蔵されている。本実施例においては、ボールペン３ａとシャープペンシル３ｂの２種類の筆記芯が内蔵されている。筆記芯３の後端には、それぞれノック部材４（４ａ，４ｂ）が接続されている。本実施例においては、ノック部材４の先端の図示しない嵌合部が、円筒状に形成される筆記芯３の後端の孔に圧入して固定されている。
【００１４】
ノック部材４には、径方向外側後方へ向けて本体部４１から縦断面視において隆起した操作片４２が形成されている。一方、軸筒２の後方には窓部２１が筆記芯３と対応して形成されており、操作片４２が窓部２１を介して軸筒２の外側に突出している。そして、窓部２１の後端は、開口されている。
【００１５】
さらに、図７において、ノック部材４の両側面には、摺動片４３が突出している。一方、軸筒２の後方には、横断面凹状に、摺動片４３と対応して、軸筒２の軸心方向に軸筒２後端から所定距離連続してノックガイド部２２が形成されている。すなわち、摺動片４３がノックガイド部２２により軸筒２の軸心に沿う方向（換言すれば前後方向）にガイドされる。よって、ノック部材４が軸筒２の軸心に沿う方向にガイドされることとなる。
【００１６】
また、図１において、ノック部材４の前方には、後述するコイルバネ５（５ａ，５ｂ）を係止する係止突起４４が側面に突出形成されている。
【００１７】
軸筒２の内部の長手方向略中央後方寄りには、デバイダー６が固設されている。デバイダー６には、筆記芯３に対応して筆記芯３をガイドするガイド孔６１（６１ａ，６１ｂ）が設けられている。そして、ガイド孔６１間（換言すれば、デバイダー６の中心位置）には、円柱状にコイルガイド６２が、後方へ向けて立設している。コイルバネ５は、一端側を前述のノック部材４の係止突起４４に係止される。コイルバネ５の他端側は、ガイド孔６１の後方に形成されるコイルバネ保持孔６１１（６１１ａ，６１１ｂ）に圧入固定され保持されている。
【００１８】
コイルバネ５は、係止突起４４とコイルバネ保持孔６１１間に、中央に筆記芯３を遊嵌し、かつ、弾発状態で設けられている。よって、ノック部材４（及び連設する筆記芯３）は、後方へ付勢されている。これにより、ノック部材４の後端面４７は、後述するスライド壁７の前側面と、解除状態（図１の状態）で当接している。
【００１９】
一方で、図２において、ノック部材４の操作片４２との対向面には、前方に解除突起４５が突出形成されている。同様に、解除突起４５の後方には被解除突起４６が突出形成されている。さらに、軸筒２のノックガイド部２２の前端には、筆記可能状態においてノック部材４の後端面４７を係止する係止部２２１が形成されている。
【００２０】
なお、軸筒２は、前端を先細状に形成され、ペン先３１（３１ａ，３１ｂ）が出没可能な開口部２３が開口している。
【００２１】
図５及び図６に示すように、軸筒２の後端には、略円盤状にスライド壁７が形成されている。スライド壁７は、軸筒に形成された支点７１により、回動自在に支持されている。具体的には、軸筒２の後端外周に膨出して形成された膨出部２４に、ピン７１１が後方へ向けて立設している。スライド壁７には、外周から突出して形成された突出部７１２に孔７１３が設けらる。そして、この孔７１３とピン７１１が回動自在に係合している。よって、スライド壁７は、支点７１を中心に回動する。
【００２２】
さらに、支点７１と対向して、係合部７２が設けられている。具体的には、軸筒２の後部側面から後方へ向けて立設し、軸筒２の径方向に延在してスライド壁７と重なり合う位置に延在部７２１が形成されている。延在部７２１に対応するスライド壁７の後方側の面上には、係合凸部７２２が突出形成されている。さらに、延在部７２１のスライド壁７と対向する面には、この係合凸部７２２と係合する被係合凹部７２３が形成されている。この係合力は、ある程度の力で手動操作することにより係脱可能に設定される。よって、スライド壁７の回動を規制することができ、筆記芯３の交換操作の際には手動操作でこの係合部７２の係合を解除してスライド壁７を回動させることができる。
【００２３】
多芯筆記具１のノック操作（筆記可能状態と解除状態の切替）は、公知の従来技術によるが、概略説明する。筆記芯３が軸筒２内に没入されている状態（図１の状態、すなわち解除状態）においては、ノック部材４の後端面４７は、スライド壁７の前方面と当接している。そして、操作片４２を前方に押圧操作することにより、摺動片４３は、ノックガイド部２２上を摺動する。そして、ノックガイド部２２の前端まで達すると、ノックガイド部２２と摺動片４３の係合が解除される。ゆえに、ノック部材４は、軸筒２の径方向内側に落ち込む。このとき、ノック部材４の後端面４７が、ノックガイド部２２の先端側に設けられた係止部２２１に係止され、ペン先３１が開口部２３から突出し、筆記可能状態（図２の状態）となる。
【００２４】
筆記可能状態を解除するには、解除状態にあるノック部材４を押圧する。すると、押圧されたノック部材４の解除突起４５が、筆記可能状態にあるノック部材４の被解除突起４６に当接し、筆記可能状態にあるノック部材４を外方へ押し出す。すると、再度摺動片４３がノックガイド部２２と係合し、コイルバネ５の付勢力により、ノック部材４（筆記芯３）は後端まで移動する。
【００２５】
なお、筆記可能状態におけるノック部材４の軸筒２の径方向内側への落ち込み過ぎ防止のための突起等は図示しないが、別途形成してもよい。
【００２６】
次に、筆記芯３の交換手順を説明する。図１（及び図６）の状態で、スライド壁７を軸筒２の径方向に押し込むことにより、係合部７２の係合を解除する。さらにスライド壁７を径方向に押し込むと、スライド壁７は支点７１回りに回動する。スライド壁７を略１８０度回動させると、窓部２１の後端は開口する（図７の状態）。よって、ノック部材４（筆記芯３）は窓部２１から後方に引き抜くことができる。
【００２７】
そして、任意に選択した筆記芯３を軸筒２の後端（窓部２１後端）から挿入する。このとき、摺動片４３は、ノックガイド部２２にガイドされることとなる。ノック部材４（筆記芯３）の挿入が完了したら、再度スライド壁７を回動させて、径方向に押し込むことにより係合部７２を係合させる。
【００２８】
このようにして本発明に係る多芯筆記具１は構成されるので、容易に筆記芯３の交換作業をすることができる。しかも、筆記芯３の交換作業の際に取り外す部品もないため、紛失等の虞も無い。さらに、径方向の回動操作によりスライド壁７が移動するため、ノック部材４のスライド壁７への当接による窓部２１の開放の虞も無い。
【００２９】
さらに、係合部７２を設けることにより、多芯筆記具１の携帯時等における不意のスライド壁７の開放（回動動作）も防止することができる。さらにまた、係合部７２の係合における延在部７２１によってもスライド壁７を軸筒２の軸心方向に押さえているので、スライド壁７を支点７１とともに２点で抑えることができる。よって、ノック部材４の解除時の繰り返しの衝突によっても、支点７１の損傷等を防止することができる。
【実施例２】
【００３０】
図８にスライド壁の他例を示す。スライド壁７’を半円状の板状に形成するとともに、２組設けた構成としている。そして、それぞれのスライド壁７’について支点７１’を設けた。これにより、複数設けられたノック部材４それぞれについてスライド壁７’を形成することができるので、必要な箇所だけ開閉操作すればよい。よって、交換が必要なノック部材４（筆記芯３）のみ挿入・取り出し操作ができるので、交換不要なノック部材４（筆記芯３）の脱落等を防止することができる。
【００３１】
なお、図示しないが、それぞれのスライド壁７’が閉塞時に固定されるように適宜係合部（７２’）を設けることもできる。
【００３２】
以上、本発明の実施例を詳細に説明したが、本発明はこれに限定されることなく、本発明の要旨を変更しない範囲で適宜変更することができる。
【００３３】
例えば、実施例中、軸筒２を一体として形成しているが、上軸、下軸にニ分割又はそれ以上に分割して形成しても良い。また、筆記芯３については、実施例では２本（２種類）内蔵した多芯筆記具１を例としたが、３本（３種類）又はそれ以上の筆記芯により構成しても良い。さらにまた、ノック部材４を筆記芯３に直接接続されているが、他の連結部材（センタリングを行う部材等）を介して接続しても良い。
【符号の説明】
【００３４】
１  多芯筆記具
２  軸筒
２１  窓部
２２  ノックガイド部
２３  開口部
２４  膨出部
２２１  係止部
３  筆記芯
３ａ  ボールペン
３ｂ  シャープペンシル
３１  ペン先
４  ノック部材
４１  本体部
４２  操作片
４３  摺動片
４４  係止突起
４５  解除突起
４６  被解除突起
４７  後端面
５  コイルバネ
６  デバイダー
６  筆記体
６１  ガイド孔
６２  コイルガイド
６１１  コイルバネ保持孔
７  スライド壁
７１  支点
７２  係合部
７１１  ピン
７１２  突出部
７１３  孔
７２１  延在部
７２２  係合凸部
７２３  被係合凹部
【図１】
0005433458.tif 000002
【図２】
0005433458.tif 000003
【図３】
0005433458.tif 000004
【図４】
0005433458.tif 000005
【図５】
0005433458.tif 000006
【図６】
0005433458.tif 000007
【図７】
0005433458.tif 000008
【図８】
0005433458.tif 000009